(57)【要約】【課題】感光体ドラムからの溶媒蒸気が機外へ漏れることによる環境の汚染を防止する。【解決手段】乾燥機１３が、空気吹き出し口を感光ドラム７の外周面に向けて配置された空気流入室２４と、この空気流入室の空気吹き出し口部分に、感光ドラムの周方向に離間し、感光ドラムの周面に対向する複数の吸引口２６を有し、感光ドラムの周方向に離間して配置した複数個の空気吸引室２５とからなり、空気流入室に、温度調節機２８を介して空気を吸引するブロア２９の吐出側を空気流入室に接続し、空気吸引室に上記ブロアの吸入側に温度調節機を介して接続した。【選択図】　　　図３
2004109156.tif 000002
【特許請求の範囲】
【請求項１】
感光ドラムの周囲に、帯電器、露光器、現像器を配置し、帯電器及び露光器にて感光ドラムの周囲に形成された静電潜像を、トナー貯留タンクより供給される液体トナーを用いる現像器にて現像し、この液体トナー像を乾燥機にて乾燥してから転写ローラを介して用紙に印刷する湿式電子写真印刷装置において、
上記乾燥機が、空気吹き出し口を感光ドラムの外周面に向けて配置された空気流入室と、この空気流入室の空気吹き出し口部分に、感光ドラムの周方向に相互に離間して配置され、かつ感光ドラムの周面に対向する複数の吸引口を有する複数個の空気吸引室とからなり、
空気流入室に、温度調節機にて調温される空気を吐出するブロアの吐出側を接続し、空気吸引室に上記ブロアの吸入側を接続した
ことを特徴とする湿式電子写真印刷装置。
【発明の詳細な説明】
【０００１】
【発明の属する技術分野】
本発明は、湿式電子写真印刷装置に関するものである。
【０００２】
【従来の技術】
液体トナーにて感光ドラム上に現像されたトナー像を転写ローラを介して用紙上に転写するようにした湿式の電子写真印刷機では、感光ドラム上に現像形成されたトナー像を転写ローラに転写する前に、トナー像中の余分な溶媒を除去する必要がある。
【０００３】
【発明が解決しようとする課題】
この溶媒を除去する方法として、従来は感光ドラムの温度を上昇させないように、ファンなどでドラム表面に常温の風を吹き付け、冷却と共に、溶媒の蒸発を図るようにしているが、このような方法では、上記風が常温であるため溶媒の蒸発効果は少なく、また、従来の方法では上記風が感光ドラムの表面に吹き付け放しになっていたため、この風によって蒸発した溶媒蒸気は機外へ拡散することになり、環境衛生上問題があった。
【０００４】
本発明は上記のことにかんがみなされたもので、余分な溶媒を効果的に除去でき、溶媒蒸気による環境汚染がないようにした湿式電子写真印刷装置を提供することを目的とするものである。
【０００５】
【課題を解決するための手段】
上記目的を達成するために、本発明に係る湿式電子写真印刷機は、感光ドラムの周囲に、帯電器、露光器、現像器を配置し、帯電器及び露光器にて感光ドラムの周囲に形成された静電潜像を、トナー貯留タンクより供給される液体トナーを用いる現像器にて現像し、この液体トナー像を乾燥機にて乾燥してから転写ローラを介して用紙に印刷する湿式電子写真印刷装置において、上記乾燥機が、空気吹き出し口を感光ドラムの外周面に向けて配置された空気流入室と、この空気流入室の空気吹き出し口部分に、感光ドラムの周方向に相互に離間して配置され、かつ感光ドラムの周面に対向する複数の吸引口を有する複数個の空気吸引室とからなり、空気流入室に、温度調節機にて調温される空気を吐出するブロアの吐出側を接続し、空気吸引室に上記ブロアの吸入側を接続した構成になっている。
【０００６】
【作　用】
ブロアより空気流入室へ流入した空気は、空気流入室の空気吹き出し口の空気吸引室相互間の隙間より感光ドラムの周面に吹き付けられる。そしてこの吹き出し空気は感光ドラムに接触後、空気吸引室の吸引口より吸引されて回収され、再びブロアにて空気吹き出し室を経て流出される。このときの吹き出し空気の温度は温度調節機にて任意に調温される。
【０００７】
【発明の実施の形態】
本発明の実施の形態を図面に基づいて説明する。
【０００８】
図１は本発明を適用しようとする湿式電子写真印刷装置の一例の全体構成を概略的に示すもので、図中１は給紙部、２は印刷部、３は巻取部である。そして給紙部１に支持されたロールから供給される用紙４は印刷部２にて両面に、それぞれ４色印刷されて巻取部３にて再びロール状に巻き取られるようになっている。
【０００９】
印刷部２には、用紙４の通路の両側に、それぞれ用紙４の走行方向に２基ずつの電子写真印刷機５ａ，５ｂ及び５ｃ，５ｄが配置されている。この各電子写真印刷機５ａ〜５ｄは、用紙４の表側と裏側とで対称構成とはなっているが基本的には同一構成となっているので、このうちの１つの電子写真印刷機５ａについて図２から図７に基づいて説明する。
【００１０】
図２において、６は用紙４に転接し、かつ用紙４の走行方向に回転する転写ローラ、７はこの転写ローラ６に転写して同一周方向に回転し、これの周面に現像されたトナー像を転写ローラ６に転写する感光ドラムである。この感光ドラム７は導電性基体の上に有機系もしくはアモルファスシリコン系の感光層を設けた構成になっていて、感光層に光を当てることによりこれの表面に静電潜像が形成されるようになっている。そしてこの感光ドラム７の周囲に、感光ドラム７に静電位を一様に印加する帯電器８、感光ドラム７の表面に潜像を形成するための露光器９及びこれを現像するための現像器１０からなる第１・第２の画像成形部１１ａ，１１ｂが感光ドラム７の回転方向に配置されていて、この両画像成形部１１ａ，１１ｂにて、例えばイエロー、マゼンタ（あるいはシアン、ブラック）等の２色の画像を形成するようになっている。１２は感光ドラム７表面の余分の溶剤を除去する溶剤絞り、１３は感光ドラム上に画像された画像を乾燥する乾燥機である。
【００１１】
感光ドラム７は図３に示すように、その両端軸１４ａ，１４ｂが前後のフレーム１５ａ，１５ｂに回転自在に支持されていると共に、中空になっている。そしてこの感光ドラム７内には、感光ドラム７と一体状にして内筒１６が設けてあり、この内筒１６の外周と感光ドラム７の筒壁との間にドーナツ状空間１７が、また内筒１６の両端壁と感光ドラムの両端壁との間に上記ドーナツ状空間１７と連通する円板状空間１８，１８が形成されている。また、内筒１６の軸心部には円板状空間１８，１８の両方、あるいは少なくとも一方に連通する通路１９が設けてある。
【００１２】
感光ドラム７の一方の端軸１４ａに第１・第２の通路２０ａ，２０ｂが同心状にして軸方向に設けてあり、第１の通路２０ａが管を介して内筒１６の通路１９内に連通されている。また、第２の通路２０ｂが感光ドラム７の一方の円板状空間１８に連通されている。そしてこの両通路２０ａ，２０ｂは端軸１４ａの先端に固着したロータリジョイント２１を介して、その一方が流体流入口２２ａに、他方は流体流出口２２ｂに接続されていて、流体流入口２２ａより流入した流体は一方の流路２０ａ、通路１９を経て一方の円板状空間１８よりドーナツ状空間１７に入り、ここでの流体により感光ドラム７の周面が調温される。上記ドーナツ状空間１７を経た液体は他方の円板状空間１８を通って他方の流路２０ｂより流体流出口２２ｂより流出されるようになっている。
【００１３】
この構成により、感光ドラム７の表面の温度はこれの内側のドーナツ状空間１７を流れる流体（冷水、温水）の温度により任意に調整することができる。これにより室温に左右されることなく、夏の高温時における感光ドラムの温度上昇が抑制でき、また冬の低温時における立ち上がりを早くすることができる。
【００１４】
乾燥機１３は図３〜図５に示すようになっていて、空気吹き出し口を感光ドラム７の外周面に向けて配置し、背面部に空気流入口２３を設けた空気流入室２４と、この空気流入室２４の空気吹き出し口部分に、感光ドラム７の周方向に互いに離間して設けた複数個の空気吸引室２５，２５，…とからなっている。そしてこの各空気吸引室２５の相互間、及び周方向両側に空気吸引室２５と、空気流入室２４の空気吹き出し口の内面との間の空間が感光ドラム７の周面に向けた空気吹き出し通路２４ａとなっている。各空気吸引室２５の感光ドラム７との対向面には複数個の吸引口２６が開口してある。また各空気吸引室２５の両端、あるいは少なくとも一端は上記空気流入室２４に沿わせて設けた空気排出通路２７に連通されている。そして上記空気流入口２３は温度調節機２８を介して空気を吸引するブロア２９の吹き出し側に接続されている。また空気排出通路２７は上記ブロア２９の吸入側、すなわち温度調節機２８の吸入側に、溶媒を吸着処理するフィルタ３０を介して接続されている。
【００１５】
そして、上記ブロワーの駆動により供給される空気は空気流入室２４に入り、空気吹き出し通路２４ａより感光ドラム７の周面に吹き付けられる。この感光ドラム７の周面に吹き付けられた空気は各空気吸引室２５の吸引口２６より吸引され、空気排出通路２７より排出され、再びブロア２９にて吸引され循環される。この間にフィルタ３０を通ることにより、吸引された風中の溶媒はこのフィルタに吸着処理される。。
【００１６】
このときの空気の循環により、感光ドラム７の周面が乾燥される。なお、ブロワーからの空気は温度調節器２８により温度調節することにより、感光ドラム７に吹き付けられる空気の温度は任意に調節することができるが、回転している感光ドラム７の表面に付着している溶媒を瞬時に蒸発するための風は３５〜４０℃であることが好ましい。
【００１７】
【発明の効果】
本発明によれば、感光ドラムの表面に吹き付けて、この感光ドラムの表面に現像されたトナー像を蒸発させた溶媒蒸気は乾燥機とブロアの空気経路を循環し、この間に上記経路内に設けたフィルタにて吸着され、この溶媒蒸気が機外へ漏れることによる環境の汚染を防止できる。
【図面の簡単な説明】
【図１】湿式電子写真印刷装置の一例を示す概略的な構成説明図である。
【図２】本発明を適用しようとする電子写真印刷機の概略的な構成説明図である。
【図３】本発明に係る電子写真印刷機の要部を示す断面図であり、図４にて示す乾燥機のＡ−Ｃ−Ｄ−Ｅ線に沿う断面である。
【図４】乾燥機の構成を示す断面図である。
【図５】図４のＡ−Ｂ矢視図である。
【符号の説明】
１…給紙部、２…印刷部、３…巻取部、４…用紙、５ａ，５ｂ，５ｃ，５ｄ…電子写真印刷機、６…転写ローラ、７…感光ドラム、８…帯電器、９…露光器、１０…現像器、１１ａ，１１ｂ…画像成形部、１２…溶剤絞り、１３…乾燥機、１４ａ，１４ｂ…端軸、１５ａ，１５ｂ…フレーム、１６…内筒、１７…ドーナツ状空間、１８…円板状空間、１９，２０ａ，２０ｂ…通路、２１…ロータリジョイント、２２ａ…流体流入口、２２ｂ…流体流出口、２３…空気流入口、２４…空気流入室、２４ａ…空気吹き出し通路、２５…吸引室、２６…吸引口、２７…空気排出通路、２８…温度調節機、２９…ブロア、３０…フィルタ。
【図１】
2004109156.tif 000003
【図２】
2004109156.tif 000004
【図３】
2004109156.tif 000005
【図４】
2004109156.tif 000006
【図５】
2004109156.tif 000007